【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
処理対象画像から所定の領域を抽出する画像処理装置であって、
前記処理対象画像が表示される表示部と、
前記処理対象画像に対し所定の操作を行える操作部と、
前記所定の領域を抽出する際の抽出基準を設定する抽出基準設定処理部と、
前記抽出基準に基づいて前記処理対象画像から前記所定の領域を抽出する領域抽出処理部と、
を備え、
前記所定の領域が、色相が所定の色相値の範囲内にある領域であって、かつ、周期的なまたは不規則な濃淡がある領域であり、
前記抽出基準設定処理部は、
操作者が前記表示部に表示された前記処理対象画像を視認しつつ前記操作部を操作することによって、前記処理対象画像から任意の画素範囲を選択することを可能とする範囲選択部と、
前記操作者による前記操作部の操作によって選択された前記任意の画素範囲に属する画素の色相値の範囲を、ＨＳＶ色座標系で記述された前記処理対象画像のデータに基づいて特定する色相範囲特定部と、
を有しており、前記任意の画素範囲の選択として前記操作者によりなされる、前記処理対象画像において前記所定の領域に含まれると前記操作者が視認する領域からの前記濃淡を含めた小領域の選択に応答して、前記色相範囲特定部が特定する色相値の範囲のうちの全ての範囲又は上限および下限の所定割合を除去した範囲を、前記抽出基準として設定し、
前記領域抽出処理部は、
前記処理対象画像において色相値が前記抽出基準に該当する画素を特定する画素特定部、
を有しており、前記画素特定部が特定した全ての画素からなる領域を、前記所定の領域として抽出する、
ことを特徴とする画像処理装置。
【請求項２】
請求項１に記載の画像処理装置であって、
所定の撮像対象を撮像し、ＲＧＢ色座標系で記述された撮像データを生成する撮像処理部と、
ＲＧＢ色座標系で記述された前記処理対象画像のデータをＨＳＶ色座標系のデータに変換可能な色空間変換部と、
をさらに備え、
ＨＳＶ色座標系で記述された前記処理対象画像のデータが、所定の撮像対象物を前記撮像処理部にて撮像することにより得られた撮像データを前記色空間変換部にて変換することにより得られる、
ことを特徴とする画像処理装置。
【請求項３】
請求項２に記載の画像処理装置であって、
前記所定の撮像対象がスクリーン印刷版であり、
前記処理対象画像が、前記スクリーン印刷版においてスクリーンメッシュ上に塗布形成されてなる乳剤膜の像と、前記スクリーンメッシュが露出してなる開口部の像とを含んでおり、
前記所定の領域が、前記スクリーンメッシュが透過している部分と透過していない部分とが繰り返された前記乳剤膜の形成領域である、
ことを特徴とする画像処理装置。
【請求項４】
請求項１ないし請求項３のいずれかに記載の画像処理装置であって、
前記領域抽出処理部が、
前記画素特定部によって特定された画素の色相値を、前記処理対象画像において前記所定の領域の像を与える色相値とは異なる色相値と置換する色相置換処理部、
をさらに有することを特徴とする画像処理装置。
【請求項５】
請求項１ないし請求項４のいずれかに記載の画像処理装置であって、
前記領域抽出処理部によって抽出された前記所定の領域の全体または端部が、前記表示部に表示された前記処理対象画像において強調表示される、
ことを特徴とする画像処理装置。
【請求項６】
所定の処理対象画像を処理する画像処理装置であって、
前記所定の処理対象画像が、色相が所定の色相値の範囲内にある領域であってかつ濃淡が繰り返される領域である、第１の領域を含んでおり、
前記処理対象画像が表示される表示部と、
前記処理対象画像に対し所定の操作を行える操作部と、
ＨＳＶ色座標系で記述された前記処理対象画像のデータを取得する取得部と、
操作者が前記表示部に表示された前記処理対象画像を視認しつつ前記操作部を操作することによって、前記処理対象画像の任意の画素範囲を選択することを可能とする範囲選択部と、
前記データに基づいて、前記任意の画素範囲に含まれる画素の色相値の範囲を抽出基準として設定する抽出基準設定処理部と、
前記処理対象画像において前記抽出基準に該当する画素を特定し、特定された全ての画素からなる領域を抽出する領域抽出処理部と、
を備え、
前記任意の画素範囲の選択として前記操作者によりなされる、前記第１の領域であると前記操作者が視認する領域からの前記濃淡を含めた第２の領域の選択に応答して、前記抽出基準設定処理部が前記第２の領域に属する画素の色相値の範囲のうちの全ての範囲又は上限および下限の所定割合を除去した範囲を前記抽出基準として設定し、
前記領域抽出処理部において、当該抽出基準に基づく領域の抽出がなされることにより、前記第１の領域が抽出される、
ことを特徴とする画像処理装置。
【請求項７】
所定の撮像対象を撮像して得られる処理対象画像から所定の領域を抽出する画像処理方法であって、
前記所定の領域を抽出する際の抽出基準を設定する抽出基準設定工程と、
前記抽出基準に基づいて前記処理対象画像から前記所定の領域を抽出する領域抽出工程と、
を備え、
前記所定の撮像対象が、下地面に所定のパターンが形成されたものであり、
前記所定の領域が、前記処理対象画像において前記所定のパターンの像に含まれる、色相が所定の色相値の範囲内にある領域であって、かつ、前記撮像対象の前記下地面に由来する周期的なまたは不規則な濃淡がある領域であり、
前記抽出基準設定工程が、
操作者が所定の表示手段に表示された前記処理対象画像を視認しつつ所定の操作手段を操作することによって、前記処理対象画像において前記所定の領域に含まれると前記操作者が視認する領域から前記濃淡を含めた任意の小領域を選択する範囲選択工程と、
前記任意の小領域に属する画素の色相値の範囲を、ＨＳＶ色座標系で記述された前記処理対象画像のデータに基づいて特定する色相範囲特定工程と、
を有しており、前記色相範囲特定工程において特定された色相値の範囲のうちの全ての範囲又は上限および下限の所定割合を除去した範囲が前記抽出基準として設定され、
前記領域抽出工程が、
前記処理対象画像において色相値が前記抽出基準に該当する画素を特定する画素特定工程、
を有しており、前記画素特定工程において特定された全ての画素からなる領域を、前記所定の領域として抽出する、
ことを特徴とする画像処理方法。
【請求項８】
請求項７に記載の画像処理方法であって、
前記所定の撮像対象を撮像し、ＲＧＢ色座標系で記述された撮像データを生成する撮像処理工程と、
ＲＧＢ色座標系で記述された前記処理対象画像のデータをＨＳＶ色座標系のデータに変換可能な色空間変換工程と、
をさらに備え、
ＨＳＶ色座標系で記述された前記処理対象画像のデータは、所定の撮像対象物が前記撮像処理工程において撮像されることにより得られた撮像データが、前記色空間変換工程において変換されることにより得られる、
ことを特徴とする画像処理方法。
【請求項９】
請求項７に記載の画像処理方法であって、
前記所定の撮像対象がスクリーン印刷版であり、
前記処理対象画像が、前記スクリーン印刷版においてスクリーンメッシュ上に塗布形成されてなる乳剤膜の像と、前記スクリーンメッシュが露出してなる開口部の像とを含んでおり、
前記所定の領域が、前記スクリーンメッシュが透過している部分と透過していない部分とが繰り返された前記乳剤膜の形成領域である、
ことを特徴とする画像処理方法。
【手続補正２】
【補正対象書類名】明細書
【補正対象項目名】００１２
【補正方法】変更
【補正の内容】
【００１２】
上記課題を解決するため、請求項１の発明は、処理対象画像から所定の領域を抽出する画像処理装置であって、前記処理対象画像が表示される表示部と、前記処理対象画像に対し所定の操作を行える操作部と、前記所定の領域を抽出する際の抽出基準を設定する抽出基準設定処理部と、前記抽出基準に基づいて前記処理対象画像から前記所定の領域を抽出する領域抽出処理部と、を備え、前記所定の領域が、色相が所定の色相値の範囲内にある領域であって、かつ、周期的なまたは不規則な濃淡がある領域であり、前記抽出基準設定処理部は、操作者が前記表示部に表示された前記処理対象画像を視認しつつ前記操作部を操作することによって、前記処理対象画像から任意の画素範囲を選択することを可能とする範囲選択部と、前記操作者による前記操作部の操作によって選択された前記任意の画素範囲に属する画素の色相値の範囲を、ＨＳＶ色座標系で記述された前記処理対象画像のデータに基づいて特定する色相範囲特定部と、を有しており、前記任意の画素範囲の選択として前記操作者によりなされる、前記処理対象画像において前記所定の領域に含まれると前記操作者が視認する領域からの前記濃淡を含めた小領域の選択に応答して、前記色相範囲特定部が特定する色相値の範囲のうちの全ての範囲又は上限および下限の所定割合を除去した範囲を、前記抽出基準として設定し、前記領域抽出処理部は、前記処理対象画像において色相値が前記抽出基準に該当する画素を特定する画素特定部、を有しており、前記画素特定部が特定した全ての画素からなる領域を、前記所定の領域として抽出する、ことを特徴とする。
【手続補正３】
【補正対象書類名】明細書
【補正対象項目名】００１７
【補正方法】変更
【補正の内容】
【００１７】
請求項６の発明は、所定の処理対象画像を処理する画像処理装置であって、前記所定の処理対象画像が、色相が所定の色相値の範囲内にある領域であってかつ濃淡が繰り返される領域である、第１の領域を含んでおり、前記処理対象画像が表示される表示部と、前記処理対象画像に対し所定の操作を行える操作部と、ＨＳＶ色座標系で記述された前記処理対象画像のデータを取得する取得部と、操作者が前記表示部に表示された前記処理対象画像を視認しつつ前記操作部を操作することによって、前記処理対象画像の任意の画素範囲を選択することを可能とする範囲選択部と、前記データに基づいて、前記任意の画素範囲に含まれる画素の色相値の範囲を抽出基準として設定する抽出基準設定処理部と、前記処理対象画像において前記抽出基準に該当する画素を特定し、特定された全ての画素からなる領域を抽出する領域抽出処理部と、を備え、前記任意の画素範囲の選択として前記操作者によりなされる、前記第１の領域であると前記操作者が視認する領域からの前記濃淡を含めた第２の領域の選択に応答して、前記抽出基準設定処理部が前記第２の領域に属する画素の色相値の範囲のうちの全ての範囲又は上限および下限の所定割合を除去した範囲を前記抽出基準として設定し、前記領域抽出処理部において、当該抽出基準に基づく領域の抽出がなされることにより、前記第１の領域が抽出される、ことを特徴とする。
【手続補正４】
【補正対象書類名】明細書
【補正対象項目名】００１８
【補正方法】変更
【補正の内容】
【００１８】
請求項７の発明は、所定の撮像対象を撮像して得られる処理対象画像から所定の領域を抽出する画像処理方法であって、前記所定の領域を抽出する際の抽出基準を設定する抽出基準設定工程と、前記抽出基準に基づいて前記処理対象画像から前記所定の領域を抽出する領域抽出工程と、を備え、前記所定の撮像対象が、下地面に所定のパターンが形成されたものであり、前記所定の領域が、前記処理対象画像において前記所定のパターンの像に含まれる、色相が所定の色相値の範囲内にある領域であって、かつ、前記撮像対象の前記下地面に由来する周期的なまたは不規則な濃淡がある領域であり、前記抽出基準設定工程が、操作者が所定の表示手段に表示された前記処理対象画像を視認しつつ所定の操作手段を操作することによって、前記処理対象画像において前記所定の領域に含まれると前記操作者が視認する領域から前記濃淡を含めた任意の小領域を選択する範囲選択工程と、前記任意の小領域に属する画素の色相値の範囲を、ＨＳＶ色座標系で記述された前記処理対象画像のデータに基づいて特定する色相範囲特定工程と、を有しており、前記色相範囲特定工程において特定された色相値の範囲のうちの全ての範囲又は上限および下限の所定割合を除去した範囲が前記抽出基準として設定され、前記領域抽出工程が、前記処理対象画像において色相値が前記抽出基準に該当する画素を特定する画素特定工程、を有しており、前記画素特定工程において特定された全ての画素からなる領域を、前記所定の領域として抽出する、ことを特徴とする。